(57)【要約】【課題】高いセキュリティを確保しつつ簡便にパスワードを復元することができる印刷装置を提供する。【解決手段】印字ラベル作成装置１のＣＰＵ２１２は、セキュリティモードにおいてログインパスワードを新たに生成するステップＳ４５と、生成された新たなログインパスワードに対応した第１文字列印字データを生成するステップＳ５０と、第１部分文字列データと第２部分文字列データとに分割するステップＳ５５と、プラテンローラ６６及び印字ヘッド６１を制御し、第１部分文字列データを少なくとも含む印字を第１印字ラベルＬ１に印字形成するステップＳ６０と、通常モードにおいてプラテンローラ６６及び印字ヘッド６１を制御し、記憶保持された第２部分文字列データを少なくとも含む印字を第２印字ラベルＬ２に対して形成するステップＳ１５と、を実行する。【選択図】図６
2014136404.tif 000002
【特許請求の範囲】
【請求項１】
被印字媒体を搬送させるための搬送手段と、
前記搬送手段により搬送される前記被印字媒体に対し、印字データに基づく印字を行う印字手段と、
操作信号を受け付ける操作信号入力手段と、
前記操作信号入力手段を介しログイン用の第１パスワードの操作信号入力がなされたことを契機に、通常モードから、所定のセキュリティを与えるセキュリティモードへと移行させる、第１モード移行手段と、
前記ログイン用の第１パスワードを生成するパスワード生成手段と、
前記パスワード生成手段により生成された第１パスワードに対応した第１文字列印字データを生成する第１印字データ生成手段と、
前記操作信号入力手段を介し所定のログアウト操作の信号入力がなされたことを契機に、前記セキュリティモードから前記通常モードへと移行させる、第２モード移行手段と、
を有する印刷装置であって、
前記第１モード移行手段により前記通常モードから前記セキュリティモードへ移行したことを契機に、前記パスワード生成手段を制御し、前記ログイン用の第１パスワードを新たに生成するパスワード生成制御手段と、
前記パスワード生成制御手段により生成された前記新たなパスワードに対応して前記第１印字データ生成手段により生成された前記第１文字列印字データを、第１部分文字列データと第２部分文字列データとに分割する、データ分割手段と、
前記搬送手段及び前記印字手段を制御し、前記第１部分文字列データを少なくとも含む印字を前記被印字媒体に印字形成する、第１印字制御手段と、
前記データ分割手段により生成された前記第２部分文字列データを記憶保持する、記憶手段と、
前記通常モードにおいて、前記操作信号入力手段を介した所定の指示操作入力がなされたことを契機に、前記搬送手段及び前記印字手段を制御し、前記記憶手段に記憶保持された前記第２部分文字列データを少なくとも含む印字を、前記被印字媒体に対して形成する、第２印字制御手段と、
を有することを特徴とする印刷装置。
【請求項２】
請求項１記載の印刷装置において、
前記第２印字制御手段は、
前記所定の指示操作として、前記操作信号入力手段を介しパスワード印刷指示用の第２パスワードの操作信号入力がなされたことを契機に、前記搬送手段及び前記印字手段を制御し、前記第２部分文字列データを少なくとも含む印字を前記被印字媒体に対して形成する
ことを特徴とする印刷装置。
【請求項３】
請求項１又は請求項２記載の印刷装置において、
前記データ分割手段は、
前記新たな第１パスワードに対応して前記第１印字データ生成手段により生成された前記第１文字列印字データを、前記被印字媒体の幅方向に分割して、前記第１部分文字列データと前記第２部分文字列データとを生成する
ことを特徴とする印刷装置。
【請求項４】
請求項３記載の印刷装置において、
前記第１印字データ生成手段は、
前記パスワード生成制御手段により生成された前記新たな第１パスワードに対応して、７セグメントディスプレイ表記の前記第１文字列印字データを生成し、
前記データ分割手段は、
前記７セグメントディスプレイ表記の前記第１文字列印字データを、前記幅方向に対応する当該７セグメントディスプレイ表記の高さ方向中間部で分割し、前記第１部分文字列データと前記第２部分文字列データとを生成する
ことを特徴とする印刷装置。
【請求項５】
請求項４記載の印刷装置において、
前記データ分割手段は、
前記新たな第１パスワードに対応した前記第１文字列印字データの複数の文字に、高さ方向中間部に水平に表記される水平セグメントがそれぞれ含まれる場合には、それら複数の文字それぞれの前記水平セグメントを、前記第１部分文字列データ若しくは前記第２部分文字列データのいずれかに、アトランダムに分配しつつ前記分割を行う
ことを特徴とする印刷装置。
【請求項６】
請求項３乃至請求項５のいずれか１項記載の印刷装置において、
前記新たな第１パスワードに無関係の２つの第２文字列印字データを生成する第２印字データ生成手段をさらに有し、
前記第１印字制御手段は、
前記搬送手段及び前記印字手段を制御し、一方の前記第２文字列印字データを、他方の前記第２文字列印字データとの突き合わせ時に前記第１部分文字列データと区別可能な態様で印字形成し、
前記第２印字制御手段は、
前記搬送手段及び前記印字手段を制御し、前記他方の第２文字列印字データを、前記一方の第２文字列印字データとの突き合わせ時に前記第２部分文字列データと区別可能な態様で印字形成する
ことを特徴とする印刷装置。
【発明の詳細な説明】
【技術分野】
【０００１】
本発明は、パスワードに関する情報の印刷を行う印刷装置に関する。
【背景技術】
【０００２】
例えば特許文献１には、情報を暗号化した場合に、その暗号化に用いられた暗号鍵を複数に分割し、それぞれコード化（バーコード画像に変換）して複数枚の紙に印刷する技術が記載されている。
【先行技術文献】
【特許文献】
【０００３】
【特許文献１】特開２００８−２２９９７７号公報（図５）
【発明の概要】
【発明が解決しようとする課題】
【０００４】
上記従来技術では、暗号鍵を復元するために、複数枚の紙に印刷されたバーコード画像をそれぞれデコードし、それにより読み出された値の和をさらに演算する必要がある。このように、暗号鍵を復元するのに手間を要し、操作者の利便性に欠けるという問題があった。
【０００５】
本発明の目的は、高いセキュリティを確保しつつ簡便にパスワードを復元することができる印刷装置を提供することにある。
【課題を解決するための手段】
【０００６】
上記目的を達成するために、本願発明は、被印字媒体を搬送させるための搬送手段と、前記搬送手段により搬送される前記被印字媒体に対し、印字データに基づく印字を行う印字手段と、操作信号を受け付ける操作信号入力手段と、前記操作信号入力手段を介しログイン用の第１パスワードの操作信号入力がなされたことを契機に、通常モードから、所定のセキュリティを与えるセキュリティモードへと移行させる、第１モード移行手段と、前記ログイン用の第１パスワードを生成するパスワード生成手段と、前記パスワード生成手段により生成された第１パスワードに対応した第１文字列印字データを生成する第１印字データ生成手段と、前記操作信号入力手段を介し所定のログアウト操作の信号入力がなされたことを契機に、前記セキュリティモードから前記通常モードへと移行させる、第２モード移行手段と、を有する印刷装置であって、前記第１モード移行手段により前記通常モードから前記セキュリティモードへ移行したことを契機に、前記パスワード生成手段を制御し、前記ログイン用の第１パスワードを新たに生成するパスワード生成制御手段と、前記パスワード生成制御手段により生成された前記新たなパスワードに対応して前記第１印字データ生成手段により生成された前記第１文字列印字データを、第１部分文字列データと第２部分文字列データとに分割する、データ分割手段と、前記搬送手段及び前記印字手段を制御し、前記第１部分文字列データを少なくとも含む印字を前記被印字媒体に印字形成する、第１印字制御手段と、前記データ分割手段により生成された前記第２部分文字列データを記憶保持する、記憶手段と、前記通常モードにおいて、前記操作信号入力手段を介した所定の指示操作入力がなされたことを契機に、前記搬送手段及び前記印字手段を制御し、前記記憶手段に記憶保持された前記第２部分文字列データを少なくとも含む印字を、前記被印字媒体に対して形成する、第２印字制御手段と、を有することを特徴とする。
【０００７】
本願発明の印刷装置においては、被印字媒体を搬送させる搬送手段と、被印字媒体に対し印字を行う印字手段と、操作信号入力手段とが設けられている。また、この印刷装置には、通常モード及びセキュリティモードの２つのモードが備えられている。セキュリティモードへ移行するには、操作信号入力手段を介し所定のログイン用の第１パスワードの操作信号が入力される必要がある。この第１パスワードは、パスワード生成手段により例えばログインごとに新たに生成される。
【０００８】
本願発明の印刷装置では、操作者による失念を防止するために、上記のようにして生成される第１パスワードの内容が、被印字媒体に印字形成される。しかしながら、第１パスワード全体をそのまま被印字媒体に印字形成すると、当該被印字媒体を第三者に見られたり拾得された場合に、セキュリティを確保するのが困難となるおそれがある。
【０００９】
そこで本願発明では、上記第１パスワードに対応する印字データを分割し、別々に被印字媒体に印字形成する。またその分割された印字データのうち一部分はログイン後のセキュリティモードにおいて印字形成するものの、残りの部分については通常モードへとログアウトした後、別途の操作により印字形成を行う。
【００１０】
すなわち、本願発明においては、操作者によるログイン操作（詳細は後述）に対応して第１モード移行手段によりセキュリティモードに移行すると、パスワード制御手段の制御に基づきパスワード生成手段が新たに（次回ログイン用の）第１パスワードを生成する。この生成された第１パスワードに対応した第１文字列印字データが、第１印字データ生成手段によって生成される。そして、データ分割手段が、生成された上記第１パスワード対応の第１文字列印字データを、第１部分文字列データと第２部分文字列データとに分割する。
【００１１】
分割された一方の第１部分文字列データは、第１印字制御手段の制御により、そのまま（セキュリティモードにログインされた状態のまま）、被印字媒体に印字形成される。操作者は、この第１部分文字列データが形成された被印字媒体を取得することで、次回のログインに向けて備えることとなる。なお、分割された他方の第２部分文字列データは、記憶手段に記憶保持される。セキュリティモードにおける利用が終了したら、操作者が所定のログアウト操作を行うことで、印刷装置は第２モード移行手段によって通常モードへと移行する。
【００１２】
その後、操作者が、再びセキュリティモードによる利用を行う場合には、（ログイン前の）通常モードにおいて操作信号入力手段を介し所定の指示操作入力が行われることで、上記のように記憶手段に保持されている上記第２部分文字列データが読み出される。そして、第２印字制御手段の制御に基づき、その読み出された第２部分文字列データが被印字媒体に印字形成される。操作者は、この第２部分文字列データが形成された被印字媒体を取得し、前述のようにして前回の利用時に取得済みの第１部分文字列データが形成された被印字媒体と並べて配置する。これにより、前述のようにして分割された第１部分文字列データ及び第２部分文字列データの分割前のつながった姿を実現し、上記パスワードに対応した第１文字列印字データを再現することができる。この結果、当該第１文字列印字データの表すパスワードの操作信号が操作信号入力手段を介して入力されることで、第１モード移行手段によりセキュリティモードに移行することができる。
【００１３】
以上のようにして、本願発明においては、毎回新たに作成される、セキュリティモード移行用の第１パスワードを２つの部分文字列データに分割するとともに、それぞれを別々のタイミングで印字形成して取得する。これにより、いずれか一方の部分文字列データを形成した被印字媒体が第三者に見られたり拾得された場合であっても、他方の部分文字列データがない限りセキュリティモードに勝手に侵入されることはない。したがって、単純に第１パスワード全体をそのまま被印字媒体に印字形成する場合に比べ、セキュリティを向上することができる。また、操作者は第１文字列印字データが分割して印字された２つの被印字媒体を並べて配置するという簡便な方法で、視認により極めて容易にパスワードを復元することができる。したがって、高いセキュリティを確保しつつ簡便にパスワードを復元することができる。
【発明の効果】
【００１４】
本発明によれば、高いセキュリティを確保しつつ簡便にパスワードを復元することができる。
【図面の簡単な説明】
【００１５】
【図１】本発明の一実施形態の印字ラベル作成装置を備えたラベル生成システムを表すシステム構成図である。
【図２】印字ラベル作成装置の外観を表す斜視図である。
【図３】印字ラベル作成装置の全体構造を表す側断面図である。
【図４】印字ラベル作成装置の制御系を表す機能ブロック図である。
【図５】ログインパスワードに対応する印字データが分割されて印字された２つの印字ラベルの外観の一例を表す、（ａ）は第１印字ラベルの印字面側の平面図、（ｂ）は第２印字ラベルの印字面側の平面図、（ｃ）は両方の印字ラベルを突き合わせた状態の印字面側の平面図である。
【図６】印字ラベル作成装置のＣＰＵによって実行される制御内容を表すフローチャートである。
【図７】水平セグメントをランダムに分配する場合の２つの印字ラベルの外観の一例を表す、（ａ）は第１印字ラベルの印字面側の平面図、（ｂ）は第２印字ラベルの印字面側の平面図、（ｃ）は両方の印字ラベルを突き合わせた状態の印字面側の平面図である。
【図８】記号が合致した桁の数字のみを有効とする場合の２つの印字ラベルの外観の一例を表す、（ａ）は第１印字ラベルの印字面側の平面図、（ｂ）は第２印字ラベルの印字面側の平面図、（ｃ）は両方の印字ラベルを突き合わせた状態の印字面側の平面図である。
【図９】記号が合致した桁の数字のみを有効とする場合において、印字ラベル作成装置のＣＰＵによって実行される制御内容を表すフローチャートである。
【発明を実施するための形態】
【００１６】
以下、本発明の一実施の形態を図面を参照しつつ説明する。
【００１７】
本実施形態の印字ラベル作成装置を備えたラベル生成システムを、図１により説明する。
【００１８】
図１に示すこのラベル生成システムＬＳにおいて、印字ラベル作成装置１（印刷装置に相当）は、後述のＬＡＮケーブル接続ジャック８１ｄ（後述の図４参照）を介し、通信回線ＮＷに接続されている。この通信回線ＮＷにはＰＣ１１８が接続されている。この結果、ラベル作成装置１とＰＣ１１８とは、互いに情報送受信可能となっている。上記ＰＣ１１８は、液晶ディスプレイ等の表示部１１８ａと、キーボードやマウス等の操作部１１８ｂと、を有している。上記印字ラベル作成装置１を用いて印字ラベルＬ（後述の図５等参照）を作成する際に、ＰＣ１１８によって印字内容を編集すること等が可能である。
【００１９】
＜外観概略構成＞
印字ラベル作成装置１の外観構成を図２を用いて説明する。なお、以下の説明において、前・後方向、左・右方向、上・下方向は、図２及び図３中に適宜示す矢印の方向を表す。
【００２０】
図２において、印字ラベル作成装置１は、フロントパネル６を備えた筐体２と、上カバーユニット５とを有している。これら筐体２及び上カバーユニット５は例えば樹脂製である。上カバーユニット５は、タッチパネル部５Ａと、略矩形状の液晶パネル部５Ｂと、操作ボタン部５Ｃと、を備えている。
【００２１】
上カバーユニット５は、後方端部において筐体２に回転軸部２ａ（後述する図３参照）を介して回動可能に接続されており、これにより上カバーユニット５は筐体２に対し開閉可能な構造となっている。なお、上カバーユニット５の下部には、上記筐体２の一部を構成する筐体カバー部２Ａが一体に構成されており、上カバーユニット５の開閉時には、筐体カバー部２Ａも一体となって開閉する。
【００２２】
液晶パネル部５Ｂは、後方端部においてタッチパネル部５Ａに回転軸部５ａ（後述する図３参照）を介して回動可能に接続されており、これにより液晶パネル部５Ｂはタッチパネル部５Ａに対し開閉可能な構造となっている。
【００２３】
操作ボタン部５Ｃは、上カバーユニット５の前方寄りの上面位置に設けられ、印字ラベル作成装置１の電源ボタン７Ａや、周辺機器作動状態を表示させるためのステータスボタン７Ｂ、フィードボタン７Ｃ等が配置されている。
【００２４】
筐体２の左右の両側壁には、解除つまみ１７が設けられている。この解除つまみ１７を上方に押し上げることによって、筐体２への上カバーユニット５の係止が解除され、上カバーユニット５が開放可能な状態となる。
【００２５】
フロントパネル６には、第１排出口６Ａと、当該第１排出口６Ａよりも下方側の部位に位置する第２排出口６Ｂとが、設けられている。また、フロントパネル６のうち第２排出口６Ｂを備えた部分は、例えば後述の被印字テープ３Ａの設置や排紙等の便宜を図るために、前方側へ回動可能な開閉蓋６Ｃとなっている。
【００２６】
第１排出口６Ａは、上カバーユニット５を閉じ状態としたときに、筐体２の前面側上縁部と上記上カバーユニット５の前面側下縁部とによって形成される。なお、上カバーユニット５の第１排出口６Ａ側における下縁部内側には、切断刃８が下方に向けて付設されている（後述する図３も参照）。
【００２７】
＜内部構造＞
次に、図３を用いて、本実施形態の印字ラベル作成装置１の内部構造を説明する。
【００２８】
図３に示すように、印字ラベル作成装置１は、筐体２の内部空間の後方に、凹状のロール収納部４を有している。ロール収納部４は、所望の幅の被印字テープ３Ａ（被印字媒体に相当）をロール状に巻回したロール３を、被印字テープ３Ａがロール上側より繰り出されるように収納する。
【００２９】
ロール３は、上記被印字テープ３Ａの巻回の軸線を、前後方向と直交する左右方向となる状態で、回転可能にロール収納部４に収納されている。
【００３０】
ロール３を構成する被印字テープ３Ａには、図３中拡大図中に示すように、例えば値札等に使用されるラベル台紙ＬＰが剥離材層３ｃ上に長手方向に沿って連続配置されている。すなわち、ラベル台紙ＬＰは、この例では２層構造となっており、印字ヘッド６１によって印字が形成される被印字層３ａと、粘着剤層３ｂと、の順で積層されている。そして、ラベル台紙ＬＰは、上記粘着剤層３ｂの粘着力により所定間隔おきに剥離材層３ｃの一方側の面に接着されている。すなわち、被印字テープ３Ａは、ラベル台紙ＬＰが接着された部分では被印字層３ａ、粘着剤層３ｂ、及び剥離材層３ｃの３層構造となっており（図３中拡大図参照）、ラベル台紙ＬＰが接着されていない部分（すなわちラベル台紙ＬＰ同士の間の部分）では、剥離材層３ｃのみの１層構造となっている。印字が完了したラベル台紙ＬＰは、最終的に剥離材層３ｃより剥がされることで印字ラベルＬとして所定の商品等の被着体に貼り付けられる。
【００３１】
ロール収納部４の底面部には、３つの支持ローラ５１，５２，５３が設けられている。支持ローラ５１〜５３は、被印字テープ３Ａを搬送させるためのプラテンローラ６６（搬送手段に相当）が回転駆動されてロール３より被印字テープ３Ａを引き出す際に、少なくとも２つのローラがロール３の外周面に接触することにより、従動的に回転してロール３を回転可能に支持する。これら３つの支持ローラは、ロール３に対する周方向位置がそれぞれ異なっており、前方から後方に向かって、ロール３の周方向に沿って、第１支持ローラ５１、第２支持ローラ５２、及び第３支持ローラ５３、の順に配置されている。これら第１〜第３支持ローラ５１〜５３は、上記左右方向（言い換えればロール幅方向）に複数の部分に分割されており、ロール幅に応じてロール３が搭載された部分だけが回転するようになっている。
【００３２】
一方、ロール収納部４にはまた、ロール３の右側の端面に接触して被印字テープ３Ａを左右方向（すなわちテープ幅方向）にガイドする第１ガイド部材（図示省略）と、ロール３の左側の端面に接触して被印字テープ３Ａを左右方向にガイドする第２ガイド部材（図示省略）と、が設けられている。これら両ガイド部材は、上記左右方向に沿って進退することで互いに遠近可能となっている。そして、ロール３に対し、第１ガイド部材が右側から接触するとともに第２ガイド部材が左側から接触することにより、ロール３を両側から挟み込みつつ、被印字テープ３Ａをガイドする。このように両ガイド部材は、左右方向に沿って進退可能に設けられていることから、収納したロール３の幅に応じて両ガイド部材を進退させ位置を調整することで、任意な幅のロール３に対し、両ガイド部材でロール３を挟み込み、被印字テープ３Ａの幅方向をガイドすることができる。
【００３３】
また、ロール収納部４の前方側における被印字テープ３Ａの搬送経路には、上記被印字テープ３Ａの所定の基準位置を光学的に検出するためのセンサユニット１００がロール３（被印字テープ３Ａ）の幅方向（すなわち上記左右方向）に沿って移動可能に設けられている。
【００３４】
＜プラテンローラ、印字ヘッド、及びその周辺構造＞
一方、上カバーユニット５の前端部下側には、プラテンローラ６６により搬送される被印字テープ３Ａに対し所望の印字を行う印字ヘッド６１（印字手段に相当）が設けられている。この印字ヘッド６１に上下方向に対向するように、筐体２の前端部上側に、上記プラテンローラ６６が設けられている。プラテンローラ６６のローラ軸６６Ａは、軸方向両端に設けたブラケット６５（図３参照）により回転自在に軸支されており、またローラ軸６６Ａの一方の軸端には、プラテンローラ６６を駆動するギア（図示省略）が固定されている。
【００３５】
このとき、プラテンローラ６６のローラ軸６６Ａに固定された上記ギアが、筐体２側の図示しないギア列に噛合し、ステッピングモータ等で構成される上記プラテンローラ用モータ２１１（後述の図４参照）によりプラテンローラ６６を回転駆動する。これにより、プラテンローラ６６は、ロール収納部４に収納されたロール３より被印字テープ３Ａを繰り出し、被印字テープ３Ａをそのテープ幅方向を左右方向とした姿勢で搬送する。
【００３６】
印字ヘッド６１は、被印字テープ３Ａの搬送方向と直交する方向に、複数個の発熱素子を備えている。印字ヘッド６１の発熱素子が設けられた面と対向する側に、上記プラテンローラ６６は配置されている。発熱素子には、印字すべきドットパターンデータに従って通電がなされ、これによって、ロール３から繰り出された被印字テープ３Ａ上に文字や図像等が印字される。印字ヘッド６１に設けられた各発熱素子の駆動は、後述する図４に示す印字ヘッド制御回路２１７によって行われる。
【００３７】
なお、上記ロール３は、上記ラベル台紙ＬＰが径方向外側となるように、被印字テープ３Ａがロール状に巻回されて構成されている。その結果、被印字テープ３Ａはラベル台紙ＬＰ側の面を上方とした状態でロール３の上側から繰り出され（図３中の破線参照）、被印字テープ３Ａの上側に配置された印字ヘッド６１によって印字形成される。
【００３８】
また、プラテンローラ６６よりも前方側には、剥離材層３ｃをプラテンローラ６６の下方側へ折り返すことで、剥離材層３ｃから上記被印字層３ａ及び粘着剤層３ｂを引き剥がすための、剥離板２００（図３参照）が設けられている。上記剥離板２００により剥離材層３ｃから引き剥がされた印字済みの被印字層３ａ及び粘着剤層３ｂは、剥離板２００のさらに前方側に位置する上記第１排出口６Ａを介し筐体２の外部へ排出される。切断刃８は、上記第１排出口６Ａを介し筐体２の外部へ排出される被印字層３ａ及び粘着剤層３ｂを、操作者が所望の位置で切断するのに用いられる。
【００３９】
一方、プラテンローラ６６の下方には、上記剥離板２００により下方側へ折り返された剥離材層３ｃを、当該プラテンローラ６６との間に挟み込んで搬送するピンチローラ２０１が設けられている。上記ピンチローラ２０１により搬送された上記剥離材層３ｃは、上記第２排出口６Ｂから、筐体２の外部へ排出される。
【００４０】
＜被印字テープの搬送の概略＞
上記構成において、上カバーユニット５が閉じられ、上記プラテンローラ用モータ２１１によりプラテンローラ６６が回転駆動されると、被印字テープ３Ａが引っ張られる。これにより、上記ガイド部材により幅方向をガイドされつつ、被印字テープ３Ａがロール３から繰り出される。ロール３より繰り出された被印字テープ３Ａは、印字ヘッド６１によって印字された後、剥離板２００によりプラテンローラ６６の下方側へ折り返される。このとき、腰が強い被印字層３ａがこのような折返し経路に追従できないことを利用して、前述のように剥離材層３ｃから被印字層３ａ及び粘着剤層３ｂが引き剥がされる。このように剥離板２００により引き剥がされた被印字層３ａ及び粘着剤層３ｂ（言い換えればラベル台紙ＬＰ）は、第１排出口６Ａより筐体２の外部へ排出され、印字ラベルＬとして使用される。なお、図３では、ロール３より繰り出され搬送される被印字テープ３Ａの搬送経路を波線又は一点鎖線で示している。
【００４１】
＜制御系＞
次に、図４を用いて、印字ラベル作成装置１の制御系について説明する。
【００４２】
図４において、印字ラベル作成装置１には、所定の演算を行う演算部を構成するＣＰＵ２１２が備えられている。ＣＰＵ２１２は、ＲＡＭ２１３及びＲＯＭ２１４に接続されている。ＣＰＵ２１２は、ＲＡＭ２１３の一時記憶機能を利用しつつＲＯＭ２１４に予め記憶されたプログラムに従って信号処理を行い、それによって印字ラベル作成装置１全体の制御を行う。このとき、ＲＯＭ２１４には、後述する制御処理（後述の図６等参照）を実行するための制御プログラムが記憶されている。このＣＰＵ２１２は、上記プラテンローラ６６を駆動する上記プラテンローラ用モータ２１１の駆動制御を行うモータ駆動回路２１６と、上記印字ヘッド６１の発熱素子の通電制御を行う印字ヘッド制御回路２１７と、に接続されている。
【００４３】
さらに、ＣＰＵ２１２には、上記液晶パネル部５Ｂ及び上記タッチパネル部５Ａと、シリアル接続ジャック８１ｂと、第１ＵＳＢ接続ジャック８１ｃと、ＬＡＮケーブル接続ジャック８１ｄと、第２ＵＳＢ接続ジャック８１ｅと、が接続されている。この例では、印字ラベル作成装置１は、ＣＰＵ２１２がＬＡＮケーブル接続ジャック８１ｄを介して上記通信回線ＮＷに接続されることで、ＰＣ１１８に対し情報送受信可能に接続される。
【００４４】
ＲＯＭ２１４には、印刷される文字や記号等の印字データ（ドットパターン）がコードデータと対応させて記憶されており、ＣＰＵ２１２は、この記憶された印字データを用いて、上記印字ラベルＬの印字領域に印字するための印字データを生成する。ＣＰＵ２１２は、プラテンローラ６６により被印字テープ３Ａを繰り出しつつ、生成された印字データに従って印字ヘッド制御回路２１７を介し印字ヘッド６１により印刷を行わせ、印字ラベルＬを作成する。
【００４５】
＜本実施形態の要部＞
本実施形態の要部は、操作者がパスワードを失念した場合に備えてパスワードに対応する文字列印字データを印字ラベルＬに印字する場合において、文字列印字データを分割した２つの印字ラベルＬを作成することにある。以下、その詳細を順を追って説明する。
【００４６】
上述した印字ラベル作成装置１には、通常モード及びセキュリティモードの２つのモードが備えられている。セキュリティモードは所定のセキュリティを与えるモードであり、例えば印字ラベル作成装置１を管理する管理者が存在する場合に、当該管理者のみがログインすることが可能な管理者設定モード等が一例として挙げられる。このセキュリティモードへ移行するには、操作者がＰＣ１１８の操作部１１８ｂや印字ラベル作成装置１のタッチパネル部５Ａ等（以下、「操作部１１８ｂ，５Ａ等」という）を介し所定のログインパスワード（第１パスワードに相当）を入力する必要がある。このログインパスワードは、セキュリティモードへの移行後に操作者の操作に応じて新たに生成される。
【００４７】
本実施形態の印字ラベル作成装置１では、操作者による失念を防止するために、上記のようにして生成されるログインパスワードの内容が、印字ラベルＬに印字形成される。しかしながら、ログインパスワード全体をそのまま印字ラベルＬに印字形成すると、当該印字ラベルＬを第三者に見られたり拾得された場合に、セキュリティを確保するのが困難となるおそれがある。
【００４８】
そこで本実施形態では、上記ログインパスワードに対応する印字データを分割し、別々に印字ラベルＬに印字形成する。またその分割された印字データのうち一部分はログイン後のセキュリティモードにおいて印字形成するものの、残りの部分については通常モードへとログアウトした後、別途の操作により印字形成を行う。
【００４９】
図５に、ログインパスワードに対応する印字データが分割されて印字された２つの印字ラベルＬの一例を示す。図５（ａ）には一方の第１印字ラベルＬ１を、図５（ｂ）には他方の第２印字ラベルＬ２を、図５（ｃ）にはこれら第１印字ラベルＬ１と第２印字ラベルＬ２とを突き合わせた状態を示している。
【００５０】
図５に示す例では、ログインパスワードは５桁の数字「３７６２８」であり、このログインパスワードに対応する文字列印字データ（以下、「第１文字列印字データ」という）ＴＸとして、７セグメントディスプレイ表記の文字列印字データが用いられている。７セグメントディスプレイ表記とは、７つの部分（セグメント）を個別に点灯、消灯させることでアラビア数字や所定の文字を表現可能とする表示態様である。この例では、点灯に対応するセグメントが黒塗り、消灯に対応するセグメントが輪郭のみ（白抜き）となるように印字することで、アラビア数字を表現している。なお、消灯に対応するセグメントを印字しないようにしてもよい。
【００５１】
図５（ａ）及び図５（ｂ）に示すように、ログインパスワード「３７６２８」に対応する７セグメントディスプレイ表記の第１文字列印字データＴＸが、印字ラベルＬの幅方向（図５中上下方向）に対応する７セグメントディスプレイ表記の高さ方向中間部で分割される。そして、一方の部分文字列データ（以下、「第１部分文字列データ」という）ｔｘ１が第１印字ラベルＬ１に、他方の部分文字列データ（以下、「第２部分文字列データ」という）ｔｘ２が第２印字ラベルＬ２に印字される。なお、図５（ａ）及び図５（ｂ）では、分割態様の理解を容易とするために、分割により欠如した部分文字列データを破線で示している。
【００５２】
そして、図５（ｃ）に示すように、第１印字ラベルＬ１と第２印字ラベルＬ２とを、互いに印字された第１部分文字列データｔｘ１と第２部分文字列データｔｘ２の対応する部分が接続されるように突き合わせることで、ログインパスワード「３７６２８」に対応する第１文字列印字データＴＸが再現される。この際、印字ラベルＬが透明な素材であればそのまま重ねればよいが、透明でない場合には図５（ｃ）に示すように印字ラベルＬの端部を折り曲げて突き合わせればよい。
【００５３】
なお、第１文字列印字データＴＸの分割の際には、７セグメントディスプレイ表記の高さ方向中間部に水平に表記される水平セグメントＳＧについては、第１部分文字列データｔｘ１及び第２部分文字列データｔｘ２の両方に含まれるように分割される。その結果、図５（ａ）及び図５（ｂ）に示すように、印字ラベルＬ１，Ｌ２には互いに水平セグメントＳＧを含む部分文字列データｔｘ１，ｔｘ２が印字されるので、２つの印字ラベルＬを突き合わせる際に互いの水平セグメントＳＧが目印となり、突き合わせ作業が容易となる。
【００５４】
また、後述するように第１印字ラベルＬ１と第２印字ラベルＬ２とは別々のタイミングで作成されるので、突き合わせの際に互いの印字ラベルＬ１，Ｌ２の向きが分からなくなる可能性がある。そこで、印字ラベルＬ１，Ｌ２には突き合わせの向きを示す矢印Ａ１，Ａ２がそれぞれ長手方向端部に印字されている。また矢印Ａ１，Ａ２は、図５（ｃ）に示すように印字ラベルＬ１，Ｌ２が正しい位置で突き合わされた場合に先端が一致する。これにより、操作者は印字ラベルＬ１，Ｌ２の突き合わせの向きを認識できると共に位置合わせをすることも可能となり、突き合わせ作業がさらに容易となる。
【００５５】
＜制御内容＞
上記内容を実現するために、印字ラベル作成装置１のＣＰＵ２１２によって実行される制御内容を、図６を用いて説明する。
【００５６】
図６において、例えば操作者により印字ラベル作成装置１の電源がオンにされることによって、このフローが開始される（「ＳＴＡＲＴ」位置）。
【００５７】
まずステップＳ５で、ＣＰＵ２１２は、操作者により操作部１１８ｂ，５Ａ等から入力された操作信号を受け付ける。なお、当該ステップＳ５が各請求項記載の操作信号入力手段として機能する。
【００５８】
次にステップＳ１０で、ＣＰＵ２１２は、上記入力された操作信号が規定のパスワードに対応する操作信号であるか否か、言い換えれば操作者により規定のパスワードが入力されたか否かを判定する。規定のパスワードとは、上述したログインパスワードとは異なり、予め定められたパスワードである。規定のパスワードが入力された場合には、判定が満たされ（Ｓ１０：ＹＥＳ）、ステップＳ１５に移る。
【００５９】
ステップＳ１５では、ＣＰＵ２１２は、上記ステップＳ５による所定の指示操作入力、すなわち規定のパスワード入力がなされたことを契機に、プラテンローラ６６及び印字ヘッド６１を制御し、前回ログインパスワードが生成された際にＲＡＭ２１３やＰＣ１１８のメモリ、ハードディスク等（以下、「ＲＡＭ２１３等」という）に記憶保持された第２部分文字列データ（後述のステップＳ５５参照）を少なくとも含む印字（前述の矢印Ａ２等を含む）を、被印字テープ３Ａに対して形成して第２印字ラベルＬ２を作成する。なお、当該ステップＳ１５が各請求項記載の第２印字制御手段として機能する。その後、上記ステップＳ５に戻る。
【００６０】
一方、上記ステップＳ１０において、規定のパスワードが入力されていない場合には、判定が満たされず（Ｓ１０：ＮＯ）、ステップＳ２０に移る。
【００６１】
ステップＳ２０では、ＣＰＵ２１２は、上記ステップＳ５で入力された操作信号がログインパスワードに対応する操作信号であるか否か、言い換えれば操作者によりログインパスワードが入力されたか否かを判定する。ログインパスワードが入力されていない場合には、判定が満たされず（Ｓ２０：ＮＯ）、ステップＳ２５に移る。
【００６２】
ステップＳ２５では、ＣＰＵ２１２は、通常モード処理を実行する。通常モードは、セキュリティモード以外のモードであり、例えば管理者以外の印字ラベル作成装置１を使用する複数のユーザがログインすることが可能な各種の設定モード等が一例として挙げられる。また、通常モード処理はこの通常モードにおいて行われる処理であり、例えば印字態様の設定処理等である。その後、上記ステップＳ５に戻る。
【００６３】
一方、上記ステップＳ２０において、ログインパスワードが入力された場合には、判定が満たされ（Ｓ２０：ＹＥＳ）、ステップＳ３０に移る。
【００６４】
ステップＳ３０では、ＣＰＵ２１２は、上記ステップＳ５によるログインパスワードの操作信号入力がなされたことを契機に、通常モードから、所定のセキュリティを与えるセキュリティモードへと移行（ログイン）する。なお、当該ステップＳ３０が各請求項記載の第１モード移行手段として機能する。
【００６５】
次にステップＳ３５で、ＣＰＵ２１２は、パスワードの印刷指示に対応する操作信号が入力されたか否か、言い換えれば操作者が操作部１１８ｂ，５Ａ等を介してパスワードの印刷指示をしたか否かを判定する。パスワードの印刷指示がなされていない場合には、判定が満たされず（Ｓ３５：ＮＯ）、ステップＳ４０に移る。
【００６６】
ステップＳ４０では、ＣＰＵ２１２は、セキュリティモードにおけるパスワード生成、印刷処理以外の処理を実行する。そして、後述するステップＳ６５に移る。
【００６７】
一方、上記ステップＳ３５において、パスワードの印刷指示がなされた場合には、判定が満たされ（Ｓ３５：ＹＥＳ）、ステップＳ４５に移る。
【００６８】
ステップＳ４５では、ＣＰＵ２１２は、上記ステップＳ３０により通常モードからセキュリティモードへ移行したことを契機に、パスワード生成部（図示省略。パスワード生成手段に相当）を制御し、ログインパスワードを新たに生成する。ログインパスワードは、前述の図５に示す例では５桁の数字としたが、桁数はこれに限定されない。また、数字の他、７セグメントディスプレイ表記が可能な文字や記号、あるいはこれらの結合としてもよい。なお、当該ステップＳ４５が各請求項記載のパスワード生成制御手段として機能する。
【００６９】
次にステップＳ５０で、ＣＰＵ２１２は、上記パスワード生成部により生成されたログインパスワードに対応した第１文字列印字データを生成する。第１文字列印字データは、前述の図５に示す例では７セグメントディスプレイ表記の文字列印字データとしたが、これに限定されるものではない。すなわち、その文字列を視覚的に分割（分断）した場合に、当該分割された一部の文字列から文字列の全貌を容易に推測できないもの（例えばハングル文字等）であれば、他の種類の文字列としてもよい。なお、当該ステップＳ５０が各請求項記載の第１印字データ生成手段として機能する。
【００７０】
次にステップＳ５５で、ＣＰＵ２１２は、上記ステップＳ４５により生成された新たなログインパスワードに対応して上記ステップＳ５０により生成された第１文字列印字データを、第１部分文字列データと第２部分文字列データとに分割する。そして、ＣＰＵ２１２は、分割により生成された第２部分文字列データをＲＡＭ２１３等（記憶手段に相当）に記憶保持する。上記ステップＳ１０及びステップＳ１５で説明したように、このＲＡＭ２１３等に記憶保持された第２部分文字列データは、次回規定のパスワード入力がなされた際に読み出され、被印字テープ３Ａに対して印字されて第２印字ラベルＬ２が作成される。
【００７１】
なお、第１文字列印字データの分割は、前述の図５に示す例では、７セグメントディスプレイ表記の文字列印字データが印字ラベルＬの幅方向に対応する高さ方向中間部で分割されるようにしたが、これに限定されるものではない。例えば、第１文字列印字データの態様によっては高さ方向において中間部以外の位置で分割してもよいし、印字ラベルＬの長手方向に分割されてもよい。なお、当該ステップＳ５５が各請求項記載のデータ分割手段として機能する。
【００７２】
次にステップＳ６０で、ＣＰＵ２１２は、プラテンローラ６６及び印字ヘッド６１を制御し、第１部分文字列データを少なくとも含む印字（前述の矢印Ａ１等を含む）を被印字テープ３Ａに印字形成して第１印字ラベルＬ１を作成する。なお、当該ステップＳ６０が各請求項記載の第１印字制御手段として機能する。
【００７３】
次にステップＳ６５で、ＣＰＵ２１２は、所定のログアウト操作の信号入力がなされたか否か、言い換えれば操作者が操作部１１８ｂ，５Ａ等を介してログアウト操作をしたか否かを判定する。ログアウト操作がなされた場合には、判定が満たされ（Ｓ６５：ＹＥＳ）、上記ステップＳ５に戻る。一方、ログアウト操作がなされていない場合には、判定が満たされず（Ｓ６５：ＮＯ）、ステップＳ３５に戻る。なお、当該ステップＳ６５において、ＣＰＵ２１２は、所定のログアウト操作がなされたことを契機に、セキュリティモードから通常モードへと移行させることから、当該ステップＳ６５が各請求項記載の第２モード移行手段として機能する。以上により、本フローの説明を終了する。
【００７４】
＜本実施形態の効果＞
以上説明したように、本実施形態においては、操作者によるログイン操作に対応して上記ステップＳ３０によりセキュリティモードに移行すると、上記ステップＳ４５においてパスワード生成部が新たに次回ログイン用のログインパスワードを生成する。この生成されたログインパスワードに対応した第１文字列印字データが、上記ステップＳ５０によって生成される。そして、上記ステップＳ５５において、生成された上記ログインパスワード対応の第１文字列印字データが第１部分文字列データと第２部分文字列データとに分割される。
【００７５】
分割された一方の第１部分文字列データは、上記ステップＳ６０により、そのまま（セキュリティモードにログインされた状態のまま）、第１印字ラベルＬ１に印字形成される。操作者は、この第１部分文字列データが形成された第１印字ラベルＬ１を取得することで、次回のログインに向けて備えることとなる。なお、分割された他方の第２部分文字列データは、ＲＡＭ２１３等に記憶保持される。セキュリティモードにおける利用が終了したら、操作者が所定のログアウト操作を行うことで、印字ラベル作成装置１は上記ステップＳ６５によって通常モードへと移行する。
【００７６】
その後、操作者が、再びセキュリティモードによる利用を行う場合には、ログイン前の通常モードにおいて上記ステップＳ５により規定のパスワードに対応する操作信号入力が行われることで、上記のようにＲＡＭ２１３等に保持されている上記第２部分文字列データが読み出される。そして、上記ステップＳ１５において、その読み出された第２部分文字列データが第２印字ラベルＬ２に印字形成される。操作者は、この第２部分文字列データが形成された第２印字ラベルＬ２を取得し、前述のようにして前回の利用時に取得済みの第１部分文字列データが形成された第１印字ラベルＬ１と並べて配置する。これにより、前述のようにして分割された第１部分文字列データ及び第２部分文字列データの分割前のつながった姿を実現し、上記ログインパスワードに対応した第１文字列印字データを再現することができる。この結果、当該第１文字列印字データの表すログインパスワードの操作信号が上記ステップＳ５において入力されることで、上記ステップＳ３０によりセキュリティモードに移行することができる。
【００７７】
以上のようにして、本実施形態においては、毎回新たに作成される、セキュリティモード移行用のログインパスワードを２つの部分文字列データに分割するとともに、それぞれを別々のタイミングで印字形成して取得する。これにより、いずれか一方の部分文字列データを形成した印字ラベルＬが第三者に見られたり拾得された場合であっても、他方の部分文字列データを形成した印字ラベルＬがない限りセキュリティモードに勝手に侵入されることはない。したがって、単純にログインパスワード全体をそのまま印字ラベルＬに印字形成する場合に比べ、セキュリティを向上することができる。また、操作者は第１文字列印字データが分割（言い換えれば文字列が視覚的に分断）されて印字された２つの印字ラベルＬ１，Ｌ２を並べて配置するという簡便な方法で、視認により極めて容易にログインパスワードを復元することができる。したがって、高いセキュリティを確保しつつ簡便にパスワードを復元することができる。
【００７８】
また、本実施形態では特に、ログインしてセキュリティモードへ移行する前の通常モードにおいて、操作者がログインパスワードとは異なる規定のパスワードを操作入力することで、ログインパスワードの残りである第２部分文字列データが第２印字ラベルＬ２に印字形成される。このように第２部分文字列データを印字形成するために、別途のパスワードを用意することで、さらに確実にセキュリティを向上することができる。
【００７９】
また、本実施形態では特に、ログインパスワードを表す文字列データが印字ラベルＬの幅方向に細長く分割される。そして、幅方向一方側の印字データが第１部分文字列データとして印字形成されるとともに、幅方向他方側の印字データが第２部分文字列データとして印字形成される。このように、視覚的にかなり見にくい印字ラベルＬの幅方向への分割態様とすることで、さらに確実にセキュリティを向上することができる。
【００８０】
また、本実施形態では特に、第１文字列印字データとして、７セグメントディスプレイ表記の文字列印字データが用いられる。７セグメントディスプレイの各セグメントの配置は、７セグメントディスプレイ全体の高さ方向中間部を境に、一方側と他方側との形状が類似形状の表記であり、かつ、例えば数字やアルファベットを７セグメントディスプレイで表記すると、上記のように２分割した場合にはいずれか片側だけを見てもその全貌を極めて推測しにくい性質をもつ。本実施形態においては、この性質を利用し、第１文字列印字データを７セグメントディスプレイ表記で生成するとともに、当該第１文字列印字データを高さ方向中間部で分割し、一方側を第１部分文字列データ、他方側を第２部分文字列データとする。これにより、さらに確実にセキュリティを向上することができる。
【００８１】
＜変形例＞
なお、本発明は、上記実施形態に限られるものではなく、その趣旨及び技術的思想を逸脱しない範囲内で種々の変形が可能である。以下、そのような変形例を順を追って説明する。
【００８２】
（１）水平セグメントをランダムに分配する場合
７セグメントディスプレイの７つのセグメントの配置のうち、７セグメントディスプレイ全体の高さ方向中間部には、水平に表記される１つの水平セグメントＳＧが存在する。前述のようにして７セグメントディスプレイで表記した文字列を等幅２分割する場合、上記水平セグメントＳＧをいずれに分配するかが問題となる。上記実施形態では、水平セグメントＳＧが第１部分文字列データと第２部分文字列データの両方に配置されるように分割したが、本変形例では、水平セグメントＳＧを第１部分文字列データと第２部分文字列データのいずれかにランダムに配置させる。
【００８３】
本変形例では、上記図６に示すステップＳ５５において、ＣＰＵ２１２は、新たなログインパスワードに対応した第１文字列印字データの複数の文字に、高さ方向中間部に水平に表記される水平セグメントＳＧがそれぞれ含まれる場合には、それら複数の文字それぞれの水平セグメントＳＧを、第１部分文字列データ若しくは第２部分文字列データのいずれかに、アトランダムに分配しつつ第１文字列印字データの分割を行う。
【００８４】
図７に、上記制御内容を実行した結果作成された２つの印字ラベルＬの一例を示す。なお、図７は前述の図５に対応しており、同じログインパスワード「３７６２８」に対応する第１文字列印字データＴＸが印字ラベルＬの幅方向中間部で分割されて、第１部分文字列データｔｘ１が第１印字ラベルＬ１に、第２部分文字列データｔｘ２が第２印字ラベルＬ２に印字されている。
【００８５】
図７（ａ）及び図７（ｂ）に示すように、第１文字列印字データＴＸの数字「３」に対応する水平セグメントについては、この例では第２部分文字列データｔｘ２に分配されている。詳細には、前述の図５では水平セグメントＳＧ１，ＳＧ２の両方が黒塗りとなっていたのに対し、本変形例では水平セグメントＳＧ２のみが黒塗りとなっている（以下も同様）。同様に、第１文字列印字データＴＸの数字「６」「２」に対応する水平セグメントについては、この例では第１部分文字列データｔｘ１に分配されており、第１文字列印字データＴＸの数字「８」に対応する水平セグメントについては、この例では第２部分文字列データｔｘ２に分配されている。
【００８６】
このようにしても、図７（ｃ）に示すように、第１印字ラベルＬ１と第２印字ラベルＬ２とを突き合わせることで、ログインパスワード「３７６２８」に対応する第１文字列印字データＴＸが再現される。
【００８７】
以上のように、本変形例においては、水平セグメントＳＧを第１部分文字列データｔｘ１のみ（あるいは第２部分文字列データｔｘ２のみ）に一方的に含ませることをせず、アトランダムに分配する。これにより、仮に第１部分文字列データｔｘ１が形成された第１印字ラベルＬ１（あるいは第２部分文字列データｔｘ２が形成された第２印字ラベルＬ２）のみが第三者に拾得された場合に、拾得した第三者が分割前の文字列データの全貌を推測することがより一層困難となる。この結果、さらに確実にセキュリティを向上することができる。
【００８８】
（２）記号が合致した桁の数字のみを有効とする場合
図８に、本変形例において作成された２つの印字ラベルＬの一例を示す。なお、図８は前述の図５に対応しており、５桁の数字「３７６２８」に対応する第１文字列印字データＴＸが印字ラベルＬの幅方向中間部で分割されて、第１部分文字列データｔｘ１が第１印字ラベルＬ１に、第２部分文字列データｔｘ２が第２印字ラベルＬ２に印字されている。
【００８９】
本変形例では、図８（ａ）及び図８（ｂ）に示すように、第１印字ラベルＬ１及び第２印字ラベルＬ２の両方に、ログインパスワードとは無関係の文字列印字データ（以下、「第２文字列印字データ」という）ＳＢ１，ＳＢ２がそれぞれ印字されている。この例では、第２文字列印字データＳＢ１，ＳＢ２は、それぞれ三角や四角、丸、星等の記号からなり、各印字ラベルＬの幅方向端部（突き合わせ側と反対側）に印字されている。第２文字列印字データＳＢ１と第２文字列印字データＳＢ２とは、記号の配置が異なっている。そして、図８（ｃ）に示すように、第１印字ラベルＬ１と第２印字ラベルＬ２を突き合わせた際に、第２文字列印字データＳＢ１，ＳＢ２の対応する記号が合致した部分の第１文字列印字データＴＸの数字のみが、ログインパスワードとして有効となる。したがって、この例ではログインパスワードは３桁の数字「７６８」となる。
【００９０】
なお、第２文字列印字データＳＢ１，ＳＢ２は記号に限定されるものではなく、数字や文字、あるいはこれらの組み合わせでもよい。すなわち、第２文字列印字データＳＢ１，ＳＢ２は、それらの一方を他方と突き合わせた際に、第１部分文字列データｔｘ１又は第２部分文字列データｔｘ２と区別可能な態様であればよい。例えば、第２文字列印字データＳＢ１，ＳＢ２を数字とし、部分文字列データｔｘ１，ｔｘ２と同程度の大きさとすることにより、第２文字列印字データＳＢ１，ＳＢ２がダミーとなって第１文字列印字データＴＸを推測することがより一層困難となるので、セキュリティを高めることが可能である。
【００９１】
なお、本変形例では、操作者が第２文字列印字データＳＢ１，ＳＢ２の配置によって印字ラベルＬ１，Ｌ２の突き合わせの向きを把握することが可能となるので、前述の矢印Ａ１，Ａ２の印字を省略してもよい。
【００９２】
上記内容を実現するために、印字ラベル作成装置１のＣＰＵ２１２によって実行される制御内容を、図９を用いて説明する。なお、図９において、前述の図６と同様の手順には同符号を付し、適宜説明を省略する。
【００９３】
図９が図６と異なる点は、印字ラベルの作成手順であるステップＳ１５及びステップＳ６０をステップＳ１５Ａ及びステップＳ６０Ａにそれぞれ変更し、且つ、ステップＳ５７が新たに加わった点である。すなわち、ステップＳ５及びステップＳ１０、ステップＳ２０〜ステップＳ５５が行われた後、ステップＳ５７に移る。
【００９４】
ステップＳ５７では、ＣＰＵ２１２は、上記ステップＳ４５で生成された新たなログインパスワードに無関係な２つの第２文字列印字データを生成する。なお、当該ステップＳ５７が各請求項記載の第２印字データ生成手段として機能する。
【００９５】
次にステップＳ６０Ａで、ＣＰＵ２１２は、プラテンローラ６６及び印字ヘッド６１を制御し、一方の第２文字列印字データを、他方の第２文字列印字データとの突き合わせ時に第１部分文字列データと区別可能な態様で印字形成する。なお、当該ステップＳ６０Ａが各請求項記載の第１印字制御手段として機能する。
【００９６】
その後、セキュリティモードからのログアウトがなされ（Ｓ６５：ＹＥＳ）、次に規定のパスワード入力がなされた場合（Ｓ１０：ＹＥＳ）、ステップＳ１５Ａに移る。
【００９７】
ステップＳ１５Ａでは、ＣＰＵ２１２は、プラテンローラ６６及び印字ヘッド６１を制御し、他方の第２文字列印字データを、一方の第２文字列印字データとの突き合わせ時に第２部分文字列データと区別可能な態様で印字形成する。なお、当該ステップＳ１５Ａが各請求項記載の第２印字制御手段として機能する。以上で本フローの説明を終了する。
【００９８】
本変形例においては、上記のように新たに生成されたログインパスワードに対応して上記ステップＳ５０により第１文字列印字データが生成されるとき、当該ログインパスワードとは無関係な２つの第２文字列印字データも上記ステップＳ５７により生成される。そしてその無関係に生成された２つの第２文字列印字データの一方は、上記ステップＳ６０Ａにおいて、第１部分文字列データと共に同一の１つの第１印字ラベルＬ１に共通に印字形成される。同様に、上記ステップＳ１５Ａにおいて、他方の第２文字列印字データは第２部分文字列データと共に同一の１つの第２印字ラベルＬ２に共通に印字形成される。
【００９９】
これにより、仮に第三者が第１部分文字列データ及び第２文字列印字データが形成された第１印字ラベルＬ１（あるいは第２部分文字列データ及び第２文字列印字データが形成された第２印字ラベルＬ２）を拾得したとしても、その拾得された印字ラベルＬの文字列データには、ログインパスワードとは関係のない第２文字列印字データが形成されているため、第１文字列印字データを推測することが一層困難となる。
【０１００】
一方、操作者は、第１部分文字列データ及び一方の第２文字列印字データが形成された第１印字ラベルＬ１と、第２部分文字列データ及び他方の第２文字列印字データが形成された第２印字ラベルＬ２と、の２つを突き合わせることで、第２文字列印字データを除外した態様で、第１部分文字列データ及び第２部分文字列データのみを正しく識別し、ログインパスワードを認識することができる。さらに、一方の第２文字列印字データと他方の第２文字列印字データとの突き合わせによる対応関係に応じて、第１部分文字列データ及び第２部分文字列データの一部を抽出したログインパスワードとすることができる。以上のようにして、第三者によるログインパスワードの推測をより一層困難とすることができるので、さらに確実にセキュリティを向上することができる。
【０１０１】
（３）その他
上記実施形態では、ログインパスワードに対応する第１文字列印字データを分割し、生成した第１部分文字列データ及び第２部分文字列データを各々印刷した２つの印字ラベルを作成するようにしたが、これに限定されるものではない。例えば、第１文字列印字データを分割して生成した第１部分文字列データ及び第２部分文字列データを各々Ｅメール等によって送信し、受信した操作者がそれらを用いてログインパスワードを復元するようにしてもよい。すなわち、分割した第１文字列印字データの出力態様は印刷に限らずデータ送信等であってもよい。
【０１０２】
また、上記変形例（２）のように、第２文字列印字データとしての記号が合致した桁の数字のみを有効とする場合、ログインパスワードに対応する第１文字列印字データを分割せずに、そのまま一方あるいは両方の印字ラベルＬに印字するようにしてもよい。そして、同様に記号が合致した桁の数字のみを有効とすればよい。この場合、突き合わせる対象が第２文字列印字データのみとなり、上記変形例（２）のように第１部分文字列データと第２部分文字列データとを突き合わせて第１文字列印字データを再現させる必要が無くなるので、より簡便にログインパスワードを復元することができる。
【０１０３】
なお、以上において、図４等の各図中に示す矢印は信号の流れの一例を示すものであり、信号の流れ方向を限定するものではない。
【０１０４】
また、図６、図９等に示すフローチャートは本発明を上記フローに示す手順に限定するものではなく、発明の趣旨及び技術的思想を逸脱しない範囲内で手順の追加・削除又は順番の変更等をしてもよい。
【０１０５】
また、以上既に述べた以外にも、上記実施形態や各変形例による手法を適宜組み合わせて利用しても良い。
【０１０６】
その他、一々例示はしないが、本発明は、その趣旨を逸脱しない範囲内において、種々の変更が加えられて実施されるものである。
【符号の説明】
【０１０７】
１                印字ラベル作成装置（印刷装置）
３Ａ              被印字テープ（被印字媒体）
６１              印字ヘッド（印字手段）
６６              プラテンローラ（搬送手段）
２１３            ＲＡＭ（記憶手段）
【図１】
2014136404.tif 000003
【図２】
2014136404.tif 000004
【図３】
2014136404.tif 000005
【図４】
2014136404.tif 000006
【図５】
2014136404.tif 000007
【図６】
2014136404.tif 000008
【図７】
2014136404.tif 000009
【図８】
2014136404.tif 000010
【図９】
2014136404.tif 000011